(57)【特許請求の範囲】
【請求項１】
所定の検索クエリに対応するコンテンツを配信し得る配信元から送信された要求が受け付けられた場合に、前記配信元に対して、前記所定の検索クエリに対応する検索結果が表示される領域と、前記検索結果が表示される領域に重ならない領域であって前記配信元により配信される配信対象のコンテンツが表示される領域とを含む検索結果ページのフォーマットであって所定の記憶部に記憶されるフォーマットに基づき検索結果ページを編集させるための画面を提示することにより、前記検索結果ページのうち、前記配信対象のコンテンツが表示される領域に関する情報を編集可能な編集権利を販売するサービスを提供するサービス提供部と、
前記編集権利が購入された場合に、前記編集権利を購入した配信元から前記配信対象のコンテンツが表示される領域の編集に関する情報を受け付け、受け付けた当該情報を所定の記憶部に記憶するとともに、受け付けた当該情報に基づいて検索結果ページを生成させる受付部と
を有することを特徴とするサービス提供装置。
【請求項２】
前記受付部は、前記配信対象のコンテンツが表示される領域の編集に関する情報として、前記配信対象のコンテンツが表示される領域それぞれに表示させるコンテンツの種別に関する情報の指定を受け付ける
ことを特徴とする請求項１に記載のサービス提供装置。
【請求項３】
前記受付部は、前記配信対象のコンテンツが表示される領域の編集に関する情報として、前記配信対象のコンテンツが表示される領域のうち、前記編集権利を購入した配信元により提供されたコンテンツを表示させる領域の指定を受け付ける
ことを特徴とする請求項１または２に記載のサービス提供装置。
【請求項４】
前記受付部は、前記配信対象のコンテンツが表示される領域のうち、前記配信元により提供されたコンテンツが示す内容と関連する商品を、ページ遷移することなく購入可能とする当該コンテンツを表示させる領域の指定を受け付ける
ことを特徴とする請求項３に記載のサービス提供装置。
【請求項５】
前記受付部は、前記配信対象のコンテンツが表示される領域のうち、動画コンテンツを表示させる領域であって、再生された場合に前記検索結果ページから、当該動画コンテンツに対する投稿情報とともに表示されるページに切り替わる当該動画コンテンツを表示させる領域の指定を受け付ける
ことを特徴とする請求項３または４に記載のサービス提供装置。
【請求項６】
前記受付部は、前記配信対象のコンテンツが表示される領域のうち、前記編集権利を購入した配信元とは異なる広告主により提供された広告コンテンツを表示させる領域の指定を受け付ける
ことを特徴とする請求項３〜５のいずれか１つに記載のサービス提供装置。
【請求項７】
前記受付部は、前記配信対象のコンテンツが表示される領域のうち、前記編集権利を購入した配信元とは異なる広告主として、前記編集権利を購入した配信元と関係する広告主により提供された広告コンテンツを表示させる領域の指定を受け付ける
ことを特徴とする請求項６に記載のサービス提供装置。
【請求項８】
前記広告主により提供された広告コンテンツを配信させることによって得られる収益を前記配信元に分配する分配部をさらに有する
ことを特徴とする請求項６または７に記載のサービス提供装置。
【請求項９】
前記受付部は、前記配信対象のコンテンツが表示される領域の編集に関する情報として、前記配信対象のコンテンツが表示される領域それぞれのサイズの指定を受け付ける
ことを特徴とする請求項１〜８のいずれか１つに記載のサービス提供装置。
【請求項１０】
前記サービス提供部は、前記編集権利として、前記検索クエリに対応する検索結果ページを示すドメイン情報の編集権利を販売し、
前記受付部は、前記配信対象のコンテンツが表示される領域の編集に関する情報として、編集されたドメイン情報を受け付ける
ことを特徴とする請求項１〜９のいずれか１つに記載のサービス提供装置。
【請求項１１】
前記サービス提供部は、前記編集権利として、前記検索クエリに関連する検索クエリである関連クエリであって、前記検索クエリとともに表示される関連クエリを編集可能な編集権利を販売する
ことを特徴とする請求項１〜１０のいずれか１つに記載のサービス提供装置。
【請求項１２】
前記編集権利が購入されることにより編集された編集後の検索結果ページを配信する配信部をさらに有する
ことを特徴とする請求項１〜１１のいずれか１つに記載のサービス提供装置。
【請求項１３】
前記配信部は、前記編集後の検索結果ページに対応する検索クエリの使用頻度に基づいて、前記編集後の検索結果ページを配信する
ことを特徴とする請求項１２に記載のサービス提供装置。
【請求項１４】
前記配信部は、前記編集後の検索結果ページに対応する検索クエリの使用頻度を示す値が所定値以上となった場合に、前記編集後の検索結果ページを配信する
ことを特徴とする請求項１２または１３に記載のサービス提供装置。
【請求項１５】
前記配信部は、複数の検索クエリが一度に入力された場合に、入力された検索クエリのうち、使用頻度がより高い検索クエリに対応する前記編集後の検索結果ページを配信する
ことを特徴とする請求項１２〜１４のいずれか１つに記載のサービス提供装置。
【請求項１６】
前記サービス提供部は、前記所定の検索クエリに対応するコンテンツを配信し得る配信元が当該検索クエリに関連する事業者であるか否かが審査された審査結果に基づいて、前記編集権利を販売する
ことを特徴とする請求項１〜１５のいずれか１つに記載のサービス提供装置。
【請求項１７】
前記検索クエリに関連する情報の動向を示す動向情報を前記配信元に提示する提示部をさらに有する
ことを特徴とする請求項１〜１６のいずれか１つに記載のサービス提供装置。
【請求項１８】
サービス提供装置が実行するサービス提供方法であって、
所定の検索クエリに対応するコンテンツを配信し得る配信元から送信された要求が受け付けられた場合に、前記配信元に対して、前記所定の検索クエリに対応する検索結果が表示される領域と、前記検索結果が表示される領域に重ならない領域であって前記配信元により配信される配信対象のコンテンツが表示される領域とを含む検索結果ページのフォーマットであって所定の記憶部に記憶されるフォーマットに基づき検索結果ページを編集させるための画面を提示することにより、前記検索結果ページのうち、前記配信対象のコンテンツが表示される領域に関する情報を編集可能な編集権利を販売するサービスを提供するサービス提供工程と、
前記編集権利が購入された場合に、前記編集権利を購入した配信元から前記配信対象のコンテンツが表示される領域の編集に関する情報を受け付け、受け付けた当該情報を所定の記憶部に記憶するとともに、受け付けた当該情報に基づいて検索結果ページを生成させる受付工程と
を含んだことを特徴とするサービス提供方法。
【請求項１９】
所定の検索クエリに対応するコンテンツを配信し得る配信元から送信された要求が受け付けられた場合に、前記配信元に対して、前記所定の検索クエリに対応する検索結果が表示される領域と、前記検索結果が表示される領域に重ならない領域であって前記配信元により配信される配信対象のコンテンツが表示される領域とを含む検索結果ページのフォーマットであって所定の記憶部に記憶されるフォーマットに基づき検索結果ページを編集させるための画面を提示することにより、前記検索結果ページのうち、前記配信対象のコンテンツが表示される領域に関する情報を編集可能な編集権利を販売するサービスを提供するサービス提供手順と、
前記編集権利が購入された場合に、前記編集権利を購入した配信元から前記配信対象のコンテンツが表示される領域の編集に関する情報を受け付け、受け付けた当該情報を所定の記憶部に記憶するとともに、受け付けた当該情報に基づいて検索結果ページを生成させる受付手順と
をコンピュータに実行させることを特徴とするサービス提供プログラム。
【発明の詳細な説明】
【技術分野】
【０００１】
本発明は、サービス提供装置、サービス提供方法およびサービス提供プログラムに関する。
【背景技術】
【０００２】
インターネットを介して、ユーザの端末装置に各種コンテンツを配信する配信サービスが知られている。例えば、検索サービスにおいて指定された検索クエリに対応する検索結果ページを配信することは広く一般に行われている。
【０００３】
例えば、特許文献１には、クエリ固有のコンテンツを表示するグラフィックモジュールを生成するための技術が開示されている。
【先行技術文献】
【特許文献】
【０００４】
【特許文献１】特表２０１０−５４１０７４号公報
【発明の概要】
【発明が解決しようとする課題】
【０００５】
しかしながら、上記の従来技術では、検索結果ページに表示されるコンテンツを提供する配信元に対して柔軟なサービスを提供することができるとは限らない。例えば、上記の従来技術では、クエリを受け取ると、受け取ったクエリに対するカテゴリ識別子に対応するカテゴリテンプレートを取得し、取得したカテゴリテンプレート内に記憶された表示データに基づき対話モジュールを生成し、生成した対話モジュールをクエリに応答した検索結果ページと組み合わせる。
【０００６】
このような上記従来技術では、例えば、検索結果ページと関連する情報をシームレスかつ効果的に提供できたとしても、検索結果ページに表示されるコンテンツを提供する配信元に対して柔軟なサービスを提供することができるとは限らない。
【０００７】
本願は、上記に鑑みてなされたものであって、検索結果ページに表示されるコンテンツを提供する配信元に対して柔軟なサービスを提供することができるサービス提供装置を提供することを目的とする。
【課題を解決するための手段】
【０００８】
本願にかかるサービス提供装置は、所定の検索クエリに対応するコンテンツを配信し得る配信元に対して、前記所定の検索クエリに対応する検索結果ページを編集可能な編集権利を販売する販売サービスを提供するサービス提供部と、前記編集権利を購入した配信元から前記検索結果ページの編集に関する情報を受け付ける受付部とを有することを特徴とする。
【発明の効果】
【０００９】
実施形態の一態様によれば、検索結果ページに表示されるコンテンツを提供する配信元に対して柔軟なサービスを提供することができるといった効果を奏する。
【図面の簡単な説明】
【００１０】
【図１】図１は、実施形態にかかるサービス提供処理の一例を示す図である。
【図２】図２は、ユーザ端末に表示された編集後の検索結果ページの一例を示す図である。
【図３】図３は、実施形態にかかるサービス提供システムの構成例を示す図である。
【図４】図４は、実施形態にかかるサービス提供装置の構成例を示す図である。
【図５】図５は、実施形態にかかる編集情報記憶部の一例を示す図である。
【図６】図６は、実施形態にかかるスポンサー広告記憶部の一例を示す図である。
【図７】図７は、実施形態にかかる一般広告記憶部の一例を示す図である。
【図８】図８は、実施形態にかかるサービス提供装置によるサービス提供処理手順を示すフローチャートである。
【図９】図９は、検索結果から投稿情報への切り替え処理を説明する説明図である。
【図１０】図１０は、変形例にかかる編集情報記憶部の一例を示す図である。
【図１１】図１１は、サービス提供装置の機能を実現するコンピュータの一例を示すハードウェア構成図である。
【発明を実施するための形態】
【００１１】
以下に、本願にかかるサービス提供装置、サービス提供方法およびサービス提供プログラムを実施するための形態（以下、「実施形態」と呼ぶ）について、図面を参照しつつ詳細に説明する。なお、この実施形態により本願にかかるサービス提供装置、サービス提供方法およびサービス提供プログラムが限定されるものではない。
【００１２】
〔１．サービス提供処理〕
まず、図１を用いて、実施形態にかかるサービス提供処理の一例について説明する。図１は、実施形態にかかるサービス提供処理の一例を示す図である。実施形態にかかるサービス提供処理は、図１に示すサービス提供装置１００によって行われる。
【００１３】
ここで、検索サービスを用いて入力された検索クエリに対応する検索結果ページは、一般的には、検索クエリに対応するコンテンツのタイトルやＵＲＬ等のテキストが一覧表示されるものである場合が多い。また、このような検索結果ページは、検索サービスを提供するサーバ装置（例えば、検索サーバ）、あるいは、かかるサーバ装置を管理する管理者によって編集される。
【００１４】
つまり、一般的な検索結果ページは、検索結果として表示されるコンテンツ、すなわち所定の検索クエリに対応するコンテンツを配信させる配信元の意図が反映されたものではない。
【００１５】
かかる配信元の一例を挙げると、タレント事務所がある。タレント事務所は、所属タレントを売り出すために、例えば、オフィシャルサイトをインターネット上に公開する。このため、タレント事務所は、かかるオフィシャルサイトがより多くのユーザの目に留まり、興味を引き付けるものであることを望む。なお、このような要望は、タレント事務所に限ったものではなく、自社製品を広くプロモートしたい多くの事業者（例えば、商品メーカー）に共通するものである。
【００１６】
しかしながら、例えば、オフィシャルサイトをインターネット上に公開することにより、所定の検索クエリに対応する検索結果ページにおいて、検索結果の一つとして表示されるようにしたとしても、上記のように、検索結果は単にテキストから構成されるに過ぎない場合が多い。また、検索結果ページは、配信元である事業者等の意図が反映されたものではないため、ユーザの興味を引き付けるには不十分である可能性が高い。
【００１７】
そこで、実施形態にかかるサービス提供装置１００は、所定の検索クエリに対応するコンテンツを配信し得る配信元に対して、所定の検索クエリに対応する検索結果ページを編集可能な編集権利（以下、「ページ編集権利」と表記する場合がある）を販売する販売サービスを提供する。また、サービス提供装置１００は、編集権利を購入した配信元から検索結果ページの編集に関する情報を受け付ける。
【００１８】
これにより、例えば、ページ編集権利を購入できた配信元は、所定の検索クエリに対応する検索結果ページを独占的に編集できるようになる。
【００１９】
ここで、サービス提供装置１００を管理する管理会社をＡＢＣ社とする。かかる場合、サービス提供装置１００によって配信される検索結果ページのＵＲＬは、検索クエリに拘わらず共通の部分と、検索クエリに対応するドメイン情報によって構成される。
【００２０】
例えば、検索クエリ「クエリＱ」に対応する検索結果ページのＵＲＬとして、「ｈｔｔｐ：／／ｓｅａｒｃｈ．ＡＢＣ．ｃｏ．ｊｐ／ｓｅａｒｃｈ；ＸＸＸＸ」があるとする。かかるＵＲＬは、ＡＢＣ社が配信するいずれの検索結果ページにも共通する共通部分「ｈｔｔｐ：／／ｓｅａｒｃｈ．ＡＢＣ．ｃｏ．ｊｐ／ｓｅａｒｃｈ；」と、検索クエリ「クエリＱ」に対応するするドメイン情報「ＸＸＸＸ」とによって構成されている。
【００２１】
このようなことから、サービス提供装置１００が、所定の検索クエリに対応する検索結果ページを編集可能な編集権利を販売するということは、所定の検索クエリに対応するドメイン情報を販売することに相当する。
【００２２】
また、サービス提供装置１００によるサービス提供処理の一例を示すと、サービス提供装置１００は、どのような検索クエリに対応する検索結果ページを編集したいかといったように、検索クエリを販売元に指定させることによってページ編集権利を販売する。
【００２３】
また、サービス提供装置１００は、コンテンツが表示される複数の表示領域を含む検索結果ページのフォーマットを配信元に提示する。そして、サービス提供装置１００は、配信元に対して、どの表示領域にどのようなコンテンツが表示されるように編集したいかといったように、配信元によって自由に用意されたコンテンツを、希望する表示領域に表示させる編集を可能とするページ編集権利を販売する。
【００２４】
これにより、サービス提供装置１００は、ページ編集権利を購入した配信元から、当該配信元に指定された検索クエリに対応する検索結果ページの編集に関する情報を受け付ける。具体的には、サービス提供装置１００は、検索結果ページに含まれる表示領域それぞれに表示させるコンテンツの種別に関する情報の指定を受け付ける。
【００２５】
例えば、サービス提供装置１００は、ページ編集権利を購入した配信元により自由に用意されたコンテンツとともに当該コンテンツを表示させる表示領域の指定や、ページ編集権利を購入した配信元に関係する広告主により用意された広告コンテンツを表示させる表示領域の指定を受け付ける。以下では、図１を用いて、サービス提供装置１００によるサービス提供処理の一例について、さらに具体的に説明する。
【００２６】
例えば、サービス提供装置１００は、所定のウェブサイトで、図１に示すような検索結果ページのフォーマットＦＭを掲載することにより、検索クエリに対応する検索結果ページを編集可能とするページ編集権利を各種事業者向けに販売しているものとする。具体的には、サービス提供装置１００は、フォーマットＦＭに含まれる表示領域ＡＲ１〜ＡＲ５それぞれに事業者が望むコンテンツを表示させることで、検索クエリに対応する検索結果ページを編集できるページ編集権利を各種事業者向けに販売しているものとする。
【００２７】
また、サービス提供装置１００は、検索クエリに対応する検索結果ページのＵＲＬに含まれるドメイン情報の編集権利も販売しているものとする。なお、表示領域ＡＲ６は、検索クエリに対応する検索結果一覧が表示される領域であり、事業者側による編集は不可能となっている。また、スペースＥ１は、検索結果ページのＵＲＬが表示される領域であり、スペースＥ２は、入力された検索クエリに関連する関連クエリが表示される領域である。
【００２８】
ここで、所定の検索クエリに対応するコンテンツを配信させる配信元の一例であるタレント事務所Ｘ１が存在する。タレント事務所Ｘ１には、アイドルグループ「グループＧ」が所属している。したがって、タレント事務所Ｘ１は、「グループＧ」をより宣伝していきたいと考えている。
【００２９】
そこで、タレント事務所Ｘ１は、端末装置１０を用いて、検索クエリ「グループＧ」を指定することにより、指定した検索クエリ「グループＧ」に対応する検索結果ページのページ編集権利の購入希望を送信したとする。
【００３０】
サービス提供装置１００は、端末装置１０から送信された購入希望を受け付けると、タレント事務所Ｘ１に対し、検索クエリ「グループＧ」に対応する検索結果ページのページ編集権利を販売する（ステップＳ１）。例えば、サービス提供装置１００は、端末装置１０から送信された購入希望を受け付けると、タレント事務所Ｘ１が「グループＧ」に関連する事業者であるか否かを審査する。つまり、サービス提供装置１００は、タレント事務所Ｘ１が「グループＧ」の所属元であるか否かを審査する。そして、サービス提供装置１００は、タレント事務所Ｘ１が確かに「グループＧ」の所属元であるとの審査結果が得られた場合には、タレント事務所Ｘ１に対し、検索クエリ「グループＧ」に対応するページ編集権利を販売する。
【００３１】
タレント事務所Ｘ１は、ページ編集権利を購入できたことにより、端末装置１０を用いて、検索クエリ「グループＧ」に対応する検索結果ページの編集に関する情報（以下、「編集情報」と表記する場合がある）を送信する（ステップＳ２）。
【００３２】
例えば、タレント事務所Ｘ１は、端末装置１０を用いて、「グループＧ」に所属するメンバーを紹介するコンテンツＣ１１を表示領域ＡＲ１に表示させ、「グループＧ」に関する動画コンテンツであるコンテンツＣ１２を表示領域ＡＲ２に表示させ、「グループＧ」の簡易説明を含むコンテンツＣ１３を表示領域ＡＲ３に表示させるよう指示した編集情報を送信したとする。また、タレント事務所Ｘ１は、端末装置１０を用いて、コンテンツＣ１１〜Ｃ１３のデータを送信したとする。
【００３３】
また、タレント事務所Ｘ１は、端末装置１０を用いて、「グループＧ」のスポンサー会社であるスポンサーＳ１およびＳ２により入稿された広告コンテンツを表示領域ＡＲ４に表示させるよう指示した編集情報を送信したとする。このことから、スポンサーＳ１およびＳ２は、タレント事務所Ｘ１に関係する広告主といえる。
【００３４】
また、タレント事務所Ｘ１は、端末装置１０を用いて、表示領域ＡＲ５には、自社と関係のない広告主による広告コンテンツであっても自由に表示されてよい旨指示した編集情報を送信したとする。
【００３５】
また、タレント事務所Ｘ１は、端末装置１０を用いて、ドメイン情報を「ＡＡＡＡ」と編集するよう指示した編集情報を送信したとする。
【００３６】
これにより、サービス提供装置１００は、端末装置１０から、タレント事務所Ｘ１により提供されたコンテンツＣ１１〜Ｃ１３それぞれを表示領域ＡＲ１〜３に表示させることを指定する編集情報とともに、コンテンツＣ１１〜Ｃ１３のデータを受け付ける。
【００３７】
また、サービス提供装置１００は、端末装置１０から、スポンサーＳ１１およびＳ１２により入稿された広告コンテンツを表示領域ＡＲ４に表示させることを指定する編集情報を受け付ける。また、サービス提供装置１００は、端末装置１０から、表示領域ＡＲ５には自由な広告表示が行われてよいこと許可する編集情報を受け付ける。
【００３８】
また、サービス提供装置１００は、端末装置１０から、ドメイン情報を「ＡＡＡＡ」と編集するよう指示した編集情報を受け付ける。
【００３９】
そして、サービス提供装置１００は、スポンサーＳ１１およびＳ１２による広告コンテンツの入稿を確認すると、タレント事務所Ｘ１により指定された編集情報に基づいて、検索クエリ「グループＧ」に対応する検索結果ページＰ１を生成する（ステップＳ３）。例えば、スポンサーＳ１およびＳ２は、図１に示すように、自身の端末装置（「広告主端末２０」とする）を用いて、サービス提供装置１００に対して、広告コンテンツを入稿する。
【００４０】
そして、サービス提供装置１００は、コンテンツＣ１１が表示領域ＡＲ１に、コンテンツＣ１２が表示領域ＡＲ２に、コンテンツＣ１３が表示領域ＡＲ３に表示され、また、スポンサーＳ１１の広告コンテンツＡＤ１１およびスポンサーＳ１２の広告コンテンツＡＤ１２が表示領域ＡＲ４に表示されるような検索結果ページＰ１を生成する。また、サービス提供装置１００は、指定されたドメイン情報「ＡＡＡＡ」に従い、生成した検索結果ページＰ１のＵＲＬを「ｈｔｔｐ：／／ｓｅａｒｃｈ．ＡＢＣ．ｃｏ．ｊｐ／ｓｅａｒｃｈ；ＡＡＡＡ」とする。
【００４１】
また、サービス提供装置１００は、表示領域ＡＲ５には自由な広告表示が行われてよいことが許可されていることにより、例えば、表示領域ＡＲ５には検索連動型広告を表示するようにする。このように、自由な広告表示が行われてよいことが許可されていたり、編集に関する指定がされていない領域がある場合には、サービス提供装置１００は、検索連動型広告を表示するように予め設定されていてもよい。
【００４２】
ここで、例えば、ユーザが自身の端末装置（「ユーザ端末３０」とする）を用いて、サービス提供装置１００が提供する検索サービス「ＡＢＣ！」に検索クエリ「グループＧ」を入力したとする。かかる場合、サービス提供装置１００は、ユーザ端末３０から検索クエリ「グループＧ」を受け付ける。そして、サービス提供装置１００は、検索クエリ「グループＧ」に対応するコンテンツを所定のコンテンツサーバ（「コンテンツサーバ４０」とする）から検索する。
【００４３】
そして、サービス提供装置１００は、検索したコンテンツのタイトルやＵＲＬ等が表示領域ＡＲ６に検索結果として一覧表示されるように検索結果ページＰ１を制御し、ユーザ端末３０に配信する。
【００４４】
図２は、ユーザ端末３０に表示された編集後の検索結果ページＰ１の一例を示す図である。図２に示すように、検索結果ページＰ１は、上述したようなタレント事務所Ｘ１による指示に基づき編集されたものとなっている。
【００４５】
このように、実施形態にかかるサービス提供装置１００は、所定の検索クエリに対応するコンテンツを配信し得る配信元に対して、所定の検索クエリに対応する検索結果ページを編集可能な編集権利を販売する。そして、サービス提供装置１００は、編集権利を購入した配信元から検索結果ページの編集に関する情報を受け付ける。これにより、サービス提供装置１００は、所定の検索クエリに対応する検索結果ページを独占的に編集させることができるため、検索結果ページの編集に関して配信元に対して柔軟なサービスを提供することができる。
【００４６】
また、サービス提供装置１００は、ページ編集権利の販売収益と、広告配信による広告収益とを得ることができるため、収益を高めることができる。
【００４７】
〔２．サービス提供システムの構成〕
次に、図３を用いて、実施形態にかかるサービス提供システムの構成について説明する。図３は、実施形態にかかるサービス提供システム１の構成例を示す図である。図３に示すように、実施形態にかかるサービス提供システム１には、コンテンツ配信元である事業者によって利用される端末装置１０と、広告主（例えば、スポンサー）によって利用される広告主端末２０１〜２０ｎと、ユーザによって利用されるユーザ端末３０と、コンテンツサーバ４０と、サービス提供装置１００とを含む。
【００４８】
端末装置１０と、広告主端末２０１〜２０ｎと、ユーザ端末３０と、コンテンツサーバ４０と、サービス提供装置１００とは、ネットワークＮを介して有線または無線により通信可能に接続される。なお、情報処理システム１には、複数台の端末装置１０と、複数台のユーザ端末３０と、複数台のコンテンツサーバ４０と、複数台のサービス提供装置１００とが含まれてよい。また、広告主端末２０１〜２０ｎを区別しない場合には、単に広告主端末２０と表記する場合がある。
【００４９】
広告主端末２０は、広告主による操作に従って、広告コンテンツをサービス提供装置１００に入稿する。広告主端末２０は、静止画像や、動画像や、テキストデータ等の広告コンテンツをサービス提供装置１００に入稿する。
【００５０】
また、広告主は、広告主端末２０を用いて、広告コンテンツをサービス提供装置１００に入稿せずに、広告コンテンツの入稿を代理店に依頼する場合もある。この場合、サービス提供装置１００に広告コンテンツを入稿するのは代理店となる。以下では、「広告主」といった表記は、広告主だけでなく代理店を含む概念であり、「広告主端末」といった表記は、代理店によって利用される代理店装置を含む概念であるものとする。
【００５１】
ユーザ端末３０は、例えば、デスクトップ型ＰＣ（Personal  Computer）や、ノート型ＰＣや、タブレット端末や、携帯電話機や、ＰＤＡ（Personal  Digital  Assistant）等である。例えば、ユーザ端末１０は、ユーザの操作に従って、検索クエリをサービス提供装置１００に送信する。
【００５２】
コンテンツサーバ４０は、ウェブページ等のコンテンツを提供するサーバ装置である。コンテンツサーバ４０は、例えば、サービス提供装置１００が検索クエリを用いてアクセスしてきた場合に、かかる検索クエリに対応するコンテンツを検索結果として、サービス提供装置１００に送信する。
【００５３】
サービス提供装置１００は、図１を用いて説明したサービス提供処理を行うサーバ装置である。
【００５４】
〔３．サービス提供装置の構成〕
次に、図４を用いて、実施形態にかかるサービス提供装置１００について説明する。図４は、実施形態にかかるサービス提供装置１００の構成例を示す図である。図４に示すように、サービス提供装置１００は、通信部１１０と、記憶部１２０と、制御部１３０とを有する。
【００５５】
（通信部１１０について）
通信部１１０は、例えば、ＮＩＣ（Network  Interface  Card）等によって実現される。そして、通信部１１０は、ネットワークＮと有線または無線で接続され、例えば、広告主端末２０、ユーザ端末３０、コンテンツサーバ４０との間で情報の送受信を行う。
【００５６】
（記憶部１２０について）
記憶部１２０は、例えば、ＲＡＭ（Random  Access  Memory)、フラッシュメモリ等の半導体メモリ素子またはハードディスク、光ディスク等の記憶装置によって実現される。記憶部１２０は、編集情報記憶部１２１と、スポンサー広告記憶部１２２と、一般広告記憶部１２３とを有する。
【００５７】
（編集情報記憶部１２１について）
編集情報記憶部１２１は、ページ編集権利を購入したコンテンツ配信元である事業者から受け付けた編集情報であって、当該事業者が指定した検索クエリに対応する検索結果ページの編集に関する編集情報を記憶する記憶部である。ここで、図５に実施形態にかかる編集情報記憶部１２１の一例を示す。
【００５８】
図５の例では、事業者情報記憶部１２１は、「事業者名」、「事業者ＩＤ」、「検索クエリ」、「関連クエリ」、「スポンサー名」、「スポンサーＩＤ」、「コンテンツ種別」、「領域サイズ」、「ドメイン情報」といった項目を有する。また、「コンテンツ種別」および「領域サイズ」には、図１に示す表示領域のうち、事業者が編集可能な表示領域ＡＲ１〜ＡＲ５が対応付けられる。
【００５９】
「事業者名」は、ページ編集権利を購入したコンテンツ事業者の名称であり、例えば、事務所名や会社名等が事業者名として記憶される。「事業者ＩＤ」は、事業者または事業者の端末装置１０を識別するための識別情報を示す。なお、本実施形態では、説明を簡単にするために、「事業者名」と「事業者ＩＤ」には同様の概念記号を用いる。例えば、図５に示す事業者名および事業者ＩＤ「Ｘ１」により識別される事業者は、図１で説明したタレント事務所Ｘ１である。
【００６０】
「検索クエリ」は、対応する事業者によって指定された検索クエリを示す。「関連クエリ」は、対応する事業者によって指定された関連クエリであって、対応する検索クエリに関連する関連クエリを示す。「スポンサー名」は、ページ編集権利を購入した事業者により指定されたスポンサーであって、サービス提供装置１００に対して広告コンテンツを入稿したスポンサーの名称を示す。例えば、スポンサー会社の名称が「スポンサー名」として記憶される。「スポンサーＩＤ」は、スポンサーまたはスポンサーが利用する広告主端末２０を識別するための識別情報を示す。なお、本実施形態では、説明を簡単にするために、「スポンサー名」と「スポンサーＩＤ」には同様の概念記号を用いる。
【００６１】
「コンテンツ種別」は、対応する表示領域ＡＲ１〜ＡＲ５それぞれに、どのようなコンテンツを表示させるかといったことを指定する編集情報を示す。例えば、「コンテンツ種別」としては、事業者側が用意するコンテンツと、事業者以外が用意するコンテンツとに大別される。
【００６２】
事業者側が用意するコンテンツとしては、テキストコンテンツ、画像コンテンツ、動画コンテンツ等や、これらが組み合わせられたコンテンツがある。事業者以外が用意するコンテンツとしては、当該事業者に関係する広告主、すなわちスポンサー側が用意した広告コンテンツや、スポンサー以外の広告主が用意した広告コンテンツがある。
【００６３】
すなわち、図５の例では、タレント事務所Ｘ１が、「コンテンツ種別」に対応する「自社のコンテンツ」である「コンテンツＣ１１」のデータを、表示領域ＡＲ１に表示させるといった編集を指示する編集情報を送信した例を示す。また、タレント事務所Ｘ１が、「コンテンツ種別」に対応する「スポンサーのコンテンツ」である「スポンサー広告」のデータを、表示領域ＡＲ４に表示させるといった編集を指示する編集情報を送信した例を示す。
【００６４】
なお、事業者が、検索結果ページに対して上記のような編集を行えるよう、サービス提供装置１００は、予め事業者に対して、どのような編集が可能であるかの一例を提示する。例えば、サービス提供装置１００は、ページ編集権利を販売する所定のウェブサイトで、「事業者側のコンテンツや広告主側の広告コンテンツを、事業者側の意向に沿った箇所で、意向に沿った態様で表示させることによる編集が可能である」といった旨を提示しておく。
【００６５】
また、サービス提供装置１００は、編集情報を送信する際に、各表示領域に表示させるコンテンツがどのようなコンテンツであるかを、所定のカテゴリ一覧から選択させてもよい。
【００６６】
「領域サイズ」は、対応する表示領域ＡＲ１〜ＡＲ５それぞれの縦サイズおよび横サイズをどのようなサイズにするかといったことを指定する編集情報を示す。なお、事業者が、検索結果ページに対して、このようなサイズの編集を行えるよう、サービス提供装置１００は、予め事業者に対して、各表示領域のサイズ編集が可能である旨を提示する。
【００６７】
「ドメイン情報」は、対応する事業者によって指定されたドメイン情報を示す。すなわち、図５の例では、タレント事務所Ｘ１が、「ｈｔｔｐ：／／ｓｅａｒｃｈ．ＡＢＣ．ｃｏ．ｊｐ／ｓｅａｒｃｈ；」以降に続くドメイン情報を「ＡＡＡＡ」と編集するよう指定している。
【００６８】
（スポンサー広告記憶部１２２について）
スポンサー広告記憶部１２２は、ページ編集権利を購入した事業者により指定されたスポンサーによって入稿された広告コンテンツを記憶する記憶部である。ここで、図６に実施形態にかかるスポンサー広告記憶部１２２の一例を示す。図６の例では、スポンサー広告記憶部１２２は、「スポンサー名」、「スポンサーＩＤ」、「広告コンテンツ」といった項目を有する。
【００６９】
「スポンサー名」は、ページ編集権利を購入した事業者により指定されたスポンサーであって、サービス提供装置１００に対して広告コンテンツを入稿したスポンサーの名称を示す。例えば、スポンサー会社の名称が「スポンサー名」として記憶される。「スポンサーＩＤ」は、スポンサーまたはスポンサーが利用する広告主端末２０を識別するための識別情報を示す。
【００７０】
「広告コンテンツ」は、対応するスポンサーによって入稿された広告コンテンツを示す。図６の例では、「広告コンテンツ」に「ＡＤ１１」といった概念記号が記憶される例を示したが、実際には、静止画像や動画像やテキストデータやＵＲＬ等が記憶される。
【００７１】
すなわち、図６では、スポンサーＩＤ「ＳＰ１１」によって識別されるスポンサーＳＰ１１が、広告コンテンツ「ＡＤ１１」を入稿した例を示す。
【００７２】
（一般広告記憶部１２３について）
一般広告記憶部１２３は、ページ編集権利を購入した事業者により指定されたスポンサー以外の広告主によって入稿された広告コンテンツを記憶する記憶部である。ここで、図７に実施形態にかかる一般広告記憶部１２３の一例を示す。図７の例では、一般広告記憶部１２３は、「広告主ＩＤ」、「広告コンテンツ」、「キーワード」といった項目を有する。
【００７３】
「広告主ＩＤ」は、スポンサー以外の広告主または当該広告主の広告主端末２０を識別するための識別情報を示す。「広告コンテンツ」は、対応する広告主によって入稿された広告コンテンツを示す。図７の例では、「広告コンテンツ」に「ＡＤ４１」といった概念記号が記憶される例を示したが、実際には、静止画像や動画像やテキストデータやＵＲＬ等が記憶される。「キーワード」は、検索クエリのターゲティングに用いられる条件情報を示す。
【００７４】
すなわち、図７では、広告主ＩＤ「Ｇ４１」によって識別される広告主が、広告コンテンツ「ＡＤ４１」を入稿した例を示す。広告主「Ｇ４１」が、キーワード「カレー」または「グループＧ」を含む検索クエリに対応する検索結果ページに広告コンテンツ「ＡＤ４１」を表示させるよう指示している例を示す。
【００７５】
（制御部１３０について）
図４に戻り、制御部１３０は、ＣＰＵ（Central  Processing  Unit）やＭＰＵ（Micro  Processing  Unit）等によって、サービス提供装置１００内部の記憶装置に記憶されている各種プログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００７６】
図４に示すように、制御部１３０は、サービス提供部１３１と、審査部１３２と、編集情報受付部１３３と、第１広告受付部１３４と、第２広告受付部１３５と、生成部１３６と、配信部１３７と、提示部１３８と、分配部１３９を有し、以下に説明する情報処理の機能や作用を実現または実行する。なお、制御部１３０の内部構成は、図４に示した構成に限られず、後述する情報処理を行う構成であれば他の構成であってもよい。また、制御部１３０が有する各処理部の接続関係は、図４に示した接続関係に限られず、他の接続関係であってもよい。
【００７７】
（サービス提供部１３１について）
サービス提供部１３１は、所定の検索クエリに対応するコンテンツを配信し得る配信元に対して、所定の検索クエリに対応する検索結果ページを編集可能な編集権利を販売する販売サービスを提供する。
【００７８】
例えば、サービス提供部１３１は、コンテンツ配信元である事業者から検索クエリの指定とともに、ページ編集権利の購入希望を受け付ける。そして、サービス提供部１３１は、購入希望を受け付けると、購入希望する事業者と、その事業者が指定した検索クエリとが互いに関連するものであるか否かを後述する審査部１３２に審査させる。そして、サービス提供部１３１は、審査部１３２によって、事業者と検索クエリとが互いに関連するものであると判定された場合には、指定された検索クエリに対応する検索結果ページの編集権利を正式に販売する。
【００７９】
また、例えば、サービス提供部１３１は、図１に示すようなコンテンツが表示される複数の表示領域を含む検索結果ページのフォーマットＦＭを配信元である事業者に提示する。これにより、サービス提供部１３１は、どの表示領域にどのようなコンテンツが表示されるように編集したいかといったように、事業者によって自由に用意されたコンテンツを希望する表示領域に表示させる編集を可能とするページ編集権利を販売する。
【００８０】
また、サービス提供部１３１は、このようなページ編集権利を販売するにあたって、様々な種別のコンテンツを用いて、検索結果ページを編集可能であることを事業者に対して提示する。例えば、サービス提供部１３１は、コンテンツの種別として「事業者側のコンテンツ」や「各種広告コンテンツ」を希望する表示領域に表示させる編集が可能である旨提示する。
【００８１】
さらに、サービス提供部１３１は、「事業者側のコンテンツ」として、テキストコンテンツ、画像コンテンツ、動画コンテンツ、そしてこれらを組み合わせたコンテンツがあることを提示してもよい。また、サービス提供部１３１は、「各種広告コンテンツ」として、事業者と関係のある広告主（例えば、スポンサー）により入稿される広告コンテンツや、それ以外の広告主により入稿される広告コンテンツがあることを提示してもよい。
【００８２】
また、サービス提供部１３１は、「事業者側のコンテンツ」として、ユーザ端末３０において所定の処理を実行させるＪａｖａＳｃｒｉｐｔ（登録商標）等の制御情報が埋め込まれたものであってもよい旨提示してもよい。
【００８３】
（審査部１３２について）
審査部１３２は、ページ編集権利の購入を希望する事業者が、当該事業者により指定された検索クエリに関連する事業者であるか否かを審査する。例えば、サービス提供部１３１が、タレント事務所Ｘ１から検索クエリ「グループＧ」に対応するページ編集権利の購入希望を受け付けたとする。審査部１３２は、「グループＧ」の所属事務所がタレント事務所Ｘ１であるか否かを審査する。そして、審査部１３２は、「グループＧ」の所属事務所がタレント事務所Ｘ１であると判定した場合には、「グループＧ」に対応するページ編集権利をタレント事務所Ｘ１に販売してよい旨の情報をサービス提供部１３１に出力する。
【００８４】
（編集情報受付部１３３について）
編集情報受付部１３３は、ページ編集権利を購入した事業者から検索結果ページの編集に関する情報を受け付ける。具体的には、編集情報受付部１３３は、検索結果ページの編集に関する情報として、検索結果ページに含まれる表示領域に関する情報を受け付ける。例えば、編集情報受付部１３３は、表示領域それぞれに表示させるコンテンツの種別に関する情報の指定を受け付ける。編集情報受付部１３３は、事業者から受け付けた編集情報を編集情報記憶部１２１に格納する。
【００８５】
一例を示すと、編集情報受付部１３３は、ページ編集権利を購入した事業者から提供されたコンテンツ（事業者のオリジナルコンテンツ）を表示させる表示領域の指定を受け付ける。例えば、編集情報受付部１３３は、ページ編集権利を購入した事業者から提供されたコンテンツとして、テキストコンテンツ、画像コンテンツ、動画コンテンツ等や、これらが組み合わせられたコンテンツを表示させる領域の指定を受け付ける。
【００８６】
また、編集情報受付部１３３は、広告主から提供された広告コンテンツを表示させる領域の指定を受け付ける。例えば、編集情報受付部１３３は、ページ編集権利を購入した事業者に関係する広告主であるスポンサー、または、スポンサー以外の広告主によって入稿された広告コンテンツを表示させる領域の指定を受け付ける。
【００８７】
ここで、図５の例では、編集情報受付部１３３が、タレント事務所Ｘ１から、表示領域ＡＲ１においてタレント事務所Ｘ１オリジナルのコンテンツＣ１１を表示させ、表示領域ＡＲ２においてタレント事務所Ｘ１オリジナルのコンテンツＣ１２を表示させ、また、表示領域ＡＲ３においてタレント事務所Ｘ１オリジナルのコンテンツＣ１３を表示させるような編集を指定する編集情報を受け付けた例を示す。
【００８８】
また、図５の例では、編集情報受付部１３３が、タレント事務所Ｘ１から、表示領域ＡＲ４にスポンサーＳＰ１１およびＳＰ１２の広告コンテンツを表示させるような編集を指定する編集情報を受け付けた例を示す。かかる場合、編集情報受付部１３３は、受け付けた編集情報に含まれる「スポンサー名」に対して「スポンサーＩＤ」を割り当てる。
【００８９】
また、別の一例を示すと、編集情報受付部１３３は、検索結果ページの編集に関する情報として、表示領域のサイズの指定を受け付ける。例えば、編集情報受付部１３３は、各表示領域の縦サイズおよび横サイズの指定を受け付ける。
【００９０】
図５の例では、編集情報受付部１３３が、タレント事務所Ｘ１から、表示領域ＡＲ１の縦サイズを「ＰＸ１」、横サイズを「ＰＸ２」とするような編集を指定する編集情報を受け付けた例を示す。なお、このような表示領域サイズの指定は、表示領域に表示させるコンテンツのサイズの指定に相当するものである。
【００９１】
また、制御部１３０は、上記のように、編集情報受付部１３３によりスポンサー広告の表示指定が受け付けられた場合には、指定されたスポンサーの広告主端末２０に編集情報受付部１３３により割り当てられたスポンサーＩＤと、指定元の事業者の事業者ＩＤを送信してもよい。
【００９２】
（第１広告受付部１３４について）
第１広告受付部１３４は、ページ編集権利を購入した事業者により指定されたスポンサーから広告コンテンツの入稿を受け付ける。例えば、第１広告受付部１３４は、スポンサー名および予めスポンサーに通知されている事業者ＩＤやスポンサーＩＤとともに、広告コンテンツの入稿を受け付ける。そして、第１広告受付部１３４は、編集情報受付部１３３を参照し、受け付けたスポンサー名、事業者ＩＤ、スポンサーＩＤが対応付けて記憶されている場合には、事業者ＩＤが示す事業者により指定されたスポンサーであると判定し、正式に広告コンテンツの入稿を受け付ける。
【００９３】
なお、第１広告受付部１３４は、スポンサーからの広告コンテンツを受け付けるのではなく、例えば、ＡＢＣ社が管理する所定の広告サーバに対して要求することにより、かかる所定の広告サーバからスポンサーの広告コンテンツを取得してもよい。かかる場合、例えば、第１広告受付部１３４は、スポンサー名、事業者ＩＤおよびスポンサーＩＤを含む要求を所定の広告サーバに送信することにより、これらに対応する広告コンテンツを受け付ける。
【００９４】
（第２広告受付部１３５について）
第２広告受付部１３５は、ページ編集権利を購入した事業者により指定されたスポンサー以外の広告主からの広告コンテンツの入稿を受け付ける。また、第２広告受付部１３５は、受け付けた広告コンテンツとキーワードとを対応付けて一般広告記憶部１２３に格納する。
【００９５】
なお、第２広告受付部１３５は、ＡＢＣ社が管理する所定の広告サーバに対して要求することにより、かかる所定の広告サーバから広告コンテンツを取得してもよい。例えば、第２広告受付部１３５は、検索クエリの入力が受け付けられることにより後述する配信部１３７により検索結果ページが配信される際に、かかる所定の広告サーバから広告コンテンツを取得してもよい。かかる場合、サービス提供装置１００は、一般広告記憶部１２３を有しなくてもよい。
【００９６】
（生成部１３６について）
生成部１３６は、編集情報受付部１３３により受け付けられた編集情報に基づいて、検索結果ページを生成する。図５に示す編集情報記憶部１２１において、タレント事務所Ｘ１の編集情報に基づき検索結果ページを生成する場合、生成部１３６は、図５に示すように領域サイズを調整するとともに、図１に示す表示領域ＡＲ１にコンテンツＣ１１、表示領域ＡＲ２にコンテンツＣ１２、表示領域ＡＲ３にコンテンツＣ１３、表示領域ＡＲ４にスポンサーＳ１、Ｓ２の広告コンテンツＡＤ１１およびＡＤ１２が表示されるような検索結果ページＰ１を生成する。
【００９７】
また、このとき生成部１３６は、スペースＥ１に表示されるＵＲＬのドメイン情報を「ＡＡＡＡ」にするとともに、スペースＥ２に検索クエリ「グループＧ」、関連クエリ「ＣＤデビュー」が表示されるようにする。
【００９８】
また、生成部１３６は、後述する配信部１３７により、例えば、検索クエリ「グループＧ」の指定が受け付けられた場合には、図１に示す表示領域ＡＲ５に表示させる広告コンテンツを一般広告記憶部１２３から取得する。例えば、生成部１３６は、検索クエリ「グループＧ」をキーワードに含む広告コンテンツを一般広告記憶部１２３から取得する。なお、上記のように、サービス提供装置１００が一般広告記憶部１２３を有しない場合には、生成部１３６は、第２広告受付部１３５に対し、所定の広告サーバから検索クエリ「グループＧ」をキーワードに含む広告コンテンツを取得するよう指示する。
【００９９】
そして、生成部１３６は、取得した広告コンテンツが表示領域ＡＲ５に表示されるように制御した検索結果ページＰ１を配信部１３７に出力する。なお、生成部１３６により生成された検索結果ページは、編集後の検索結果ページといえる。
【０１００】
（配信部１３７について）
配信部１３７は、編集後の検索結果ページをユーザ端末３０に配信する。例えば、配信部１３７は、サービス提供装置１００を管理する管理会社ＡＢＣ社によって提供される検索サービス「ＡＢＣ！」を介して、ユーザ端末３０から検索クエリの入力を受け付ける。そして、配信部１３７は、受け付けた検索クエリに対応する検索結果ページであって、生成部１３６により生成された編集後の検索結果ページをユーザ端末３０に配信する。
【０１０１】
一例を示すと、配信部１３７は、ユーザ端末３０から検索クエリの入力を受け付けると、コンテンツサーバ４０にアクセスし、受け付けた検索クエリに対応する検索結果を取得する。例えば、配信部１３７は、検索結果として、受け付けた検索クエリに対応するコンテンツのタイトルやＵＲＬや詳細説明文等を取得する。そして、配信部１３７は、取得した検索結果が図１に示す表示領域ＡＲ６に表示されるような検索結果ページを検索クエリ送信元のユーザ端末３０に配信する。
【０１０２】
（提示部１３８について）
上記、配信部１３７は、ページ編集権利を購入した事業者から、編集後の検索結果ページを配信するよう指示する情報を受け付けた場合に、編集後の検索結果ページを配信してもよい。かかる場合、ページ編集権利を購入した事業者は、自身が指定した検索クエリに関する情報がニュース記事として掲載される等により世間で話題になったタイミングで、編集後の検索結果ページが配信されることを望む場合が多い。
【０１０３】
しかしながら、ページ編集権利を購入した事業者は、自身が指定した検索クエリに関する情報の動向を絶えず監視するのは困難である。したがって、提示部１３８は、ページ編集権利を購入した事業者の端末装置１０に対し、当該事業者により指定された検索クエリに関する情報のインターネット上での動向を定期的に提示する。
【０１０４】
そして、例えば、提示部１３８は、事業者により指定された検索クエリに関する情報がインターネット上でニュース記事として挙がった場合や、所定のＳＮＳ（Social  Networking  Service）において話題になった場合に、編集後の検索結果ページを配信することを促す情報を端末装置１０に送信する。
【０１０５】
これにより、サービス提供装置１００は、事業者により指定された検索クエリに関する情報が世間で話題になったタイミングで、かかる事業者に対応する編集後の検索結果ページを配信することができるため、編集後の検索結果ページをユーザに効果的に閲覧させることができる。
【０１０６】
（分配部１３９について）
分配部１３９は、事業者に対するスポンサーやその他の広告主によって入稿された広告コンテンツが含まれる編集後の検索結果ページを配信させることによって得られる広告収益を事業者に分配する。
【０１０７】
上記例のように、タレント事務所Ｘ１による広告コンテンツに関する指定に基づき生成された編集後の検索結果ページＰ１が配信された場合を例に説明する。図２に示すように、検索結果ページＰ１において、スポンサーＳＰ１１およびＳＰ１２により入稿された広告コンテンツＡＤ１１およびＡＤ１２が表示領域ＡＲ４に表示され、タレント事務所Ｘ１とは直接的に関係のない広告主の広告コンテンツが検索連動型広告として表示領域ＡＲ５に表示されている。
【０１０８】
例えば、これら広告主による広告コンテンツがクリックされることにより、サービス提供装置１００は、広告収益を得る。このため、分配部１３９は、スポンサーＳＰ１１およびＳＰ１２による広告コンテンツＡＤ１１およびＡＤ１２や、表示領域ＡＲ４に表示されている検索連動型広告によって得られた広告収益のうち、予め決められた割合の金額をタレント事務所Ｘ１に分配する。
【０１０９】
〔４．処理手順〕
次に、図８を用いて、実施形態にかかるサービス提供装置１００が実行するサービス処理の手順について説明する。図８は、実施形態にかかるサービス提供装置１００によるサービス提供処理手順を示すフローチャートである。
【０１１０】
サービス提供装置１００のサービス提供部１３１は、所定の検索クエリに対応するコンテンツを配信し得る配信元、すなわち事業者からページ編集権利の購入希望を受け付けたか否かを判定する（ステップＳ１０１）。サービス提供部１３１は、事業者からページ編集権利の購入希望を受け付けていない場合には（ステップＳ１０１；Ｎｏ）、受け付けるまで待機する。一方、審査部１３２は、サービス提供部１３１により事業者からページ編集権利の購入希望が受け付けられたと判定された場合には（ステップＳ１０１；Ｙｅｓ）、購入希望元の事業者と、購入希望元の事業者により指定された検索クエリとが関連するものであるか否かを審査する（ステップＳ１０２−１）。
【０１１１】
そして、審査部１３２は、購入希望元の事業者と、購入希望元の事業者により指定された検索クエリとが関連するものでないと判定した場合には（ステップＳ１０２−１；Ｎｏ）、かかる購入希望元の事業者に対して、ページ編集権利を販売することが不可能である旨通知し（ステップＳ１０２−２）、処理を終了する。一方、サービス提供部１３１は、審査部１３２により購入希望元の事業者と、購入希望元の事業者により指定された検索クエリとが関連すると判定された場合には（ステップＳ１０２−１；Ｙｅｓ）、かかる購入希望元の事業者に対して正式にページ編集権利を販売する（ステップＳ１０３）。
【０１１２】
次に、編集情報受付部１３３は、ページ編集権利を購入した事業者から検索結果ページの編集に関する情報である編集情報を受け付ける（ステップＳ１０４）。例えば、編集情報受付部１３３は、ページ編集権利を購入した事業者から、どのコンテンツをどの表示領域に表示させるかといった指定を含む編集情報を受け付ける。また、編集情報受付部１３３は、表示領域に実際に表示させるコンテンツの入稿を受け付ける（ステップＳ１０５）。
【０１１３】
なお、ページ編集権利を購入した事業者が、自身と関係する広告主であるスポンサーの広告コンテンツを表示領域に表示させることを指定している場合には、第１広告受付部１３４が、指定されたスポンサーからの広告コンテンツの入稿を受け付ける。
【０１１４】
そして、編集情報受付部１３３は、表示領域に表示させるコンテンツの入稿の受付が完了したか否かを判定する（ステップＳ１０６）。編集情報受付部１３３は、表示領域に表示させるコンテンツの入稿の受付が完了していない場合には（ステップＳ１０６；Ｎｏ）、完了するまで待機する。一方、生成部１３６は、編集情報受付部１３３により表示領域に表示させるコンテンツの入稿の受付が完了したと判定された場合には（ステップＳ１０６；Ｙｅｓ）、編集情報に基づき検索結果ページを生成する（ステップＳ１０７）。
【０１１５】
また、生成部１３６は、生成した検索結果ページ、すなわち編集後の検索結果ページを所定の記憶部に格納する。例えば、生成部１３６は、事業者ＩＤと、検索クエリと、生成した検索結果ページとを対応付けて所定の記憶部に格納する。かかる所定の記憶部は、事業者情報記憶部１２１であってもよいし、他の専用の記憶部であってもよい。
【０１１６】
また、配信部１３７は、ユーザ端末３０から検索クエリの指定を受け付けたか否かを判定する（ステップＳ１０８）。配信部１３７は、検索クエリの指定を受け付けていない場合には（ステップＳ１０８；Ｎｏ）、受け付けるまで待機する。一方、配信部１３７は、検索クエリの指定を受け付けた場合には（ステップＳ１０８；Ｙｅｓ）、受け付けた検索クエリに対応する検索結果を取得する（ステップＳ１０９）。例えば、配信部１３７は、受け付けた検索クエリに対応するコンテンツのタイトルやＵＲＬや詳細説明文等を検索結果として所定のコンテンツサーバ４０から取得する。そして、配信部１３７は、取得した検索結果が表示されるような編集後の検索結果ページを配信する（ステップＳ１１０）。
【０１１７】
〔５．変形例〕
上記実施形態にかかるサービス提供装置１００は、上記実施形態以外にも種々の異なる形態にて実施されてよい。そこで、以下では、サービス提供装置１００の他の実施形態について説明する。
【０１１８】
〔５−１．制御情報を含むコンテンツ〕
上記実施形態では、サービス提供部１３１が、コンテンツの種別として「事業者側のコンテンツ」を、希望する表示領域に表示させる編集が可能な編集権利を販売する例を示した。ここで、サービス提供部１３１は、「事業者側のコンテンツ」として、ユーザ端末３０において所定の処理を実行させる制御情報（例えば、ＪａｖａＳｃｒｉｐｔ）が埋め込まれたコンテンツを、希望する表示領域に表示させる編集が可能な編集権利を販売してもよい。
【０１１９】
かかる場合、例えば、編集情報受付部１３３は、コンテンツが示す内容と関連する商品を、ページ遷移することなく購入可能とする制御情報が埋め込まれた当該コンテンツを表示させる表示領域の指定を受け付けることができる。
【０１２０】
一例を示すと、編集情報受付部１３３は、ページ編集権利を購入したタレント事務所Ｘ１から、「グループＧ」を紹介する内容を含むコンテンツＣ１１であって、「グループＧ」が出演しているコマーシャルで宣伝されている商品を、例えば、コンテンツＣ１１を選択（例えば、クリックやタップ操作）するだけで購入可能とする制御情報が埋め込まれたコンテンツＣ１１を表示させる表示領域の指定を受け付ける。
【０１２１】
これにより、サービス提供装置１００は、「グループＧ」に興味があるユーザに対し、所定のショッピングサイト等を利用させることなく、編集後の検索結果ページ上で「グループＧ」に関する商品を購入させることができる。また、サービス提供装置１００は、購入にかかる手間を省くことができるため、商品売り上げに貢献することができる。
【０１２２】
〔５−２．投稿情報への切り替え〕
また、編集情報受付部１３３は、検索結果ページに表示される動画コンテンツであって、当該動画コンテンツが再生された場合に、検索結果ページから当該動画コンテンツに対する投稿情報とともに当該動画コンテンツが表示されるページに切り替わる動画コンテンツを受け付けてもよい。また、編集情報受付部１３３は、このような動画コンテンツを表示させる表示領域の指定を受け付けてよい。この点について、図２および図９を用いて説明する。
【０１２３】
上述したように、図２に示す検索結果ページＰ１は、タレント事務所Ｘ１による編集情報に基づき編集された編集後の検索結果ページである。つまり、検索結果ページＰ１は、タレント事務所Ｘ１により編集された検索結果ページといえる。
【０１２４】
図２において、表示領域ＡＲ２に表示された動画コンテンツＣ１２の再生ボタンＢＴが押下されることにより、動画コンテンツＣ１２が再生されたとする。かかる場合、例えば、配信部１３７は、検索連動型広告が表示されている表示領域ＡＲ５および検索結果一覧が表示されている表示領域ＡＲ６を、動画コンテンツＣ１２に対する投稿情報が表示される表示領域へと切り替える。つまり、配信部１３７は、動画コンテンツＣ１２が再生された場合に、現在表示されている検索結果の代わりに、動画コンテンツＣ１２に関連する投稿情報をリアルタイム配信する。
【０１２５】
ここで、図９は、検索結果から投稿情報への切り替え処理を説明する説明図である。図９に示すように、配信部１３７は、動画コンテンツＣ１２が再生された場合に、図２に示す表示領域ＡＲ５およびＡＲ６を１つに結合した表示領域ＡＲ７を動画コンテンツＣ１２に対する投稿情報が表示される表示領域とする。
【０１２６】
そして、配信部１３７は、所定のＳＮＳを提供するＳＮＳサーバから動画コンテンツＣ１２を視聴しているユーザによる投稿情報、あるいは、動画コンテンツＣ１２に出演中の「グループＧ」に関する投稿情報を取得する。そして、配信部１３７は、取得した投稿情報を表示領域ＡＲ７に表示されるように配信する。また、配信部１３７は、投稿情報として、新たに書き込みが行われる度に、書き込まれた投稿情報を配信することにより、表示領域ＡＲ７に表示される投稿情報を自動更新してゆく。
【０１２７】
これにより、サービス提供装置１００は、事業者により指定された検索クエリに関する情報に対する最新の投稿情報を検索結果ページＰ１を閲覧しているユーザに提供することができるため、編集後の検索結果ページにより長くユーザを滞在させることができる。
【０１２８】
なお、投稿情報の取得処理は、必ずしも配信部１３７によって行われる必要はない。例えば、サービス提供装置１００は、所定のＳＮＳを提供するＳＮＳサーバにアクセスし、投稿情報を取得する取得部をさらに有してもよい。かかる場合、取得部は、動画コンテンツの再生を検知した配信部１３７からの指示に従い、投稿情報を取得し、取得した投稿情報を配信部１３７に出力する。
【０１２９】
〔５−３．配信のタイミング〕
また、編集情報受付部１３３は、ページ編集権利を購入した事業者から編集情報として、さらに、編集後の検索結果ページを配信するタイミングである「配信タイミング」を受け付けてもよい。例えば、編集情報受付部１３３は、「配信タイミング」として、ユーザによる検索クエリの使用頻度に関する値の指定を受け付けてもよい。これにより、配信部１３７は、かかる検索クエリの使用頻度に関する値に基づいて、編集後の検索結果ページを配信してもよい。この点について、図１０を用いて説明する。
【０１３０】
図１０は、変形例にかかる編集情報記憶部１２１の一例を示す図である。図１０に示す編集情報記憶部１２１は、図５に示す編集情報記憶部１２１がさらに「配信タイミング」といった項目を有するものである。「配信タイミング」は、対応する検索クエリがユーザにより使用される使用頻度に関する値である。そして、ページ編集権利を購入した事業者は、検索クエリの使用頻度に関する値を「配信タイミング」として指定することにより、検索クエリの使用頻度に関する値が所定値以上となったタイミングで、編集後の検索結果ページを配信するよう指示する。
【０１３１】
例えば、図１０の例では、タレント事務所Ｘ１が、検索クエリ「グループＧ」を指定するとともに、配信タイミング「ランキング１０位以内」を指定している。つまり、タレント事務所Ｘ１は、検索クエリがユーザにより使用される使用頻度に関する値として、「ランキング１０位以内」を指定している。これは、タレント事務所Ｘ１が、検索クエリ「グループＧ」が、所定の検索サービスにおいて、検索クエリ「グループＧ」が使用される使用頻度の順位が「１０位」以内に入った場合に、編集後の検索結果ページである検索結果ページＰ１を配信するよう指定していることを示す。
【０１３２】
ここで、配信部１３７は、ユーザ端末１０から検索クエリ「グループＧ」の入力を受け付けたとすると、現在の検索クエリ「グループＧ」のランキングを特定する。検索クエリ毎のランキングは、例えば、図示しない所定の記憶部に格納される。配信部１３７は、所定の記憶部にアクセスすることで、現在の検索クエリ「グループＧ」のランキングを特定する。
【０１３３】
そして、配信部１３７は、検索クエリ「グループＧ」のランキングが１０位より低ければ、タレント事務所Ｘ１による編集情報に基づき編集された検索結果ページＰ１を配信しない。すなわち、配信部１３７は、検索クエリ「グループＧ」に対応する通常の検索結果ページを配信する。一方、配信部１３７は、検索クエリ「グループＧ」のランキングが１０位以内であれば、タレント事務所Ｘ１による編集情報に基づき編集された検索結果ページＰ１を配信する。
【０１３４】
このように、サービス提供装置１００は、ページ編集権利を購入した事業者により指定されたタイミングで、編集後の検索結果ページを配信することができるため、例えば、「ランキング１０位以内」といったように、インターネット上等で、事業者が指定した検索クエリに関する情報が話題になった場合に、旬な情報として的確に編集後の検索結果ページを配信することができる。また、これにより、サービス提供装置１００は、編集後の検索結果ページをユーザに閲覧され易くすることができる。
【０１３５】
なお、上記例では、配信部１３７は、ページ編集権利を購入した事業者により指定された検索クエリのランキングに基づき編集後の検索結果ページを配信する例を示したが、配信部１３７は、かかる事業者により指定された関連クエリのランキングに基づき編集後の検索結果ページを配信してもよい。
【０１３６】
また、配信部１３７は、かかる事業者により指定された検索クエリまたは関連クエリのランキングに基づき編集後の検索結果ページを配信してもよい。例えば、配信部１３７は、かかる事業者により検索クエリおよび関連クエリの両方が指定されており、また、配信タイミング「ランキング１０位以内」が指定されている場合には、検索クエリおよび関連クエリの少なくとも何れか一方が「ランキング１０位以内」であれば、編集後の検索結果ページを配信してもよい。
【０１３７】
〔５−４．検索クエリと関連クエリ〕
また、配信部１３７は、複数の検索クエリが一度に入力された場合には、入力された検索クエリのうち、使用頻度がより高い検索クエリに対応する編集後の検索結果ページを配信してもよい。例えば、図５および図１０の例では、タレント事務所Ｘ１は、検索クエリ「グループＧ」、関連クエリ「ＣＤデビュー」を指定しているが、ここでは、タレント事務所Ｘ１は、検索クエリ「グループＧ」のみ指定しているものとする。
【０１３８】
ここで、配信部１３７は、検索クエリ「グループＧ、田中Ａ子」といったように、一度に複数の検索クエリ入力を受け付けたとする。かかる場合、配信部１３７は、検索クエリ「グループＧ」、検索クエリ「田中Ａ子」それぞれの検索クエリとしてのインターネット上での使用頻度を特定する。
【０１３９】
そして、例えば、配信部１３７は、検索クエリ「田中Ａ子」より検索クエリ「グループＧ」の方が使用頻度が高いことを特定した場合には、検索クエリ「グループＧ」に対応する編集後の検索結果ページＰ１を配信する。また、配信部１３７は、検索クエリ「田中Ａ子」の方が使用頻度が高いことを特定した場合には、検索クエリ「グループＧ、田中Ａ子」に対応する通常の検索結果ページを配信する。
【０１４０】
検索クエリの使用頻度が高いということは、かかる検索クエリに関する情報がインターネット上で話題になっていることを示す。このため、サービス提供装置１００は、複数の検索クエリが一度に入力された場合には、入力された検索クエリのうち、使用頻度がより高い検索クエリに対応する編集後の検索結果ページを配信することで、旬な情報として的確に編集後の検索結果ページを配信することができる。
【０１４１】
〔５−５．領域サイズについて〕
上記実施形態では、編集情報受付部１３３は、検索結果ページに含まれる領域に関する情報として、表示領域のサイズの指定を受け付ける例を示した。しかしこの例に限らず、例えば、編集情報受付部１３３は、検索結果ページに含まれる領域に関する情報として、領域のレイアウトに関する指定を受け付けてもよい。
【０１４２】
例えば、図１に示すフォーマットＦＭは、事業者による編集が可能な表示領域ＡＲ１〜ＡＲ５を含むが、編集情報受付部１３３は、表示領域ＡＲ２およびＡＲ５を削除し、削除された分だけ表示領域ＡＲ１の縦サイズを広げるといった指定を受け付けてもよい。
【０１４３】
また、編集情報受付部１３３は、表示領域ＡＲ１、ＡＲ２、ＡＲ５を削除し、表示領域ＡＲ３を中央に配置させるといったように表示領域の配置の指定を受け付けてもよい。
【０１４４】
これにより、サービス提供装置１００は、配信元に対して、検索結果ページをより柔軟に編集させることができる。
【０１４５】
〔５−６．サービス提供装置の構成〕
サービス提供装置１００は、必ずしも図４を用いて説明した処理部の全てを有している必要はない。例えば、図４を用いて説明した処理部のいくつかは、他の情報処理装置が有していてもよい。一例を示すと、配信部１３７は、ＡＢＣ社によって管理される既存の検索サーバが有していてもよい。
【０１４６】
〔６．プログラム〕
また、上述してきた実施形態にかかるサービス提供装置１００は、例えば図１１に示すような構成のコンピュータ１０００によって実現される。図１１は、サービス提供装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１４７】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１４８】
ＨＤＤ１４００は、ＣＰＵ１１００によって実行されるプログラム、及び、かかるプログラムによって使用されるデータ等を格納する。通信インターフェイス１５００は、通信網５０を介して他の機器からデータを受信してＣＰＵ１１００へ送り、ＣＰＵ１１００が生成したデータを、通信網５０を介して他の機器へ送信する。
【０１４９】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを、入出力インターフェイス１６００を介して出力装置へ出力する。
【０１５０】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５１】
例えば、コンピュータ１０００が実施形態にかかるサービス提供装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを、記録媒体１８００から読み取って実行するが、他の例として、他の装置から、通信網５０を介してこれらのプログラムを取得してもよい。
【０１５２】
〔７．その他〕
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１５３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１５４】
また、上述してきた各実施形態は、処理内容を矛盾させない範囲で適宜組み合わせることが可能である。
【０１５５】
〔８．効果〕
実施形態にかかるサービス提供装置１００は、サービス提供部１３１と、受付部（編集情報受付部１３３）とを有する。サービス提供部１３１は、所定の検索クエリに対応するコンテンツを配信し得る配信元に対して、所定の検索クエリに対応する検索結果ページを編集可能な編集権利を販売する販売サービスを提供する。編集情報受付部１３３は、編集権利を購入した配信元から検索結果ページの編集に関する情報を受け付ける。
【０１５６】
これにより、実施形態にかかるサービス提供装置１００は、所定の検索クエリに対応する検索結果ページを独占的に編集させることができるため、検索結果ページの編集に関して配信元に対して柔軟なサービスを提供することができる。
【０１５７】
また、実施形態にかかるサービス提供装置１００において編集情報受付部１３３は、検索結果ページの編集に関する情報として、検索結果ページに含まれる領域に関する情報を受け付ける。
【０１５８】
これにより、実施形態にかかるサービス提供装置１００は、配信元に対し検索結果ページに含まれる領域に自由にコンテンツを配置させるといった編集を行わせることができる。
【０１５９】
また、実施形態にかかるサービス提供装置１００において編集情報受付部１３３は、検索結果ページに含まれる領域に関する情報として、検索結果ページに含まれる領域それぞれに表示させるコンテンツの種別に関する情報の指定を受け付ける。
【０１６０】
これにより、実施形態にかかるサービス提供装置１００は、配信元に対し検索結果ページに含まれる領域に自由にコンテンツを配置させるといった編集を行わせることができる。
【０１６１】
また、実施形態にかかるサービス提供装置１００において編集情報受付部１３３は、編集権利を購入した配信元により提供されたコンテンツを表示させる領域の指定を受け付ける。
【０１６２】
これにより、実施形態にかかるサービス提供装置１００は、配信元に対し検索結果ページにおいて、柔軟にコンテンツの配置位置を決めることができるといった編集を行わせることができる。
【０１６３】
また、実施形態にかかるサービス提供装置１００において編集情報受付部１３３は、コンテンツが示す内容と関連する商品を、ページ遷移することなく購入可能とする当該コンテンツを表示させる領域の指定を受け付ける。
【０１６４】
これにより、実施形態にかかるサービス提供装置１００は、所定のショッピングサイト等を利用させることなく、編集後の検索結果ページ上でコンテンツに関する商品を購入させることができるため、購入にかかる手間を省くことができ、また、商品売り上げに貢献することができる。
【０１６５】
また、実施形態にかかるサービス提供装置１００において編集情報受付部１３３は、検索結果ページに表示される動画コンテンツであって、再生された場合に検索結果ページから、当該動画コンテンツに対する投稿情報とともに表示されるページに切り替わる動画コンテンツを表示させる領域の指定を受け付ける。
【０１６６】
これにより、実施形態にかかるサービス提供装置１００は、編集後の検索結果ページにより長くユーザを滞在させることができる。
【０１６７】
また、実施形態にかかるサービス提供装置１００において編集情報受付部１３３は、編集権利を購入した配信元とは異なる広告主により提供された広告コンテンツを表示させる領域の指定を受け付ける。
【０１６８】
これにより、実施形態にかかるサービス提供装置１００は、配信元に対し検索結果ページにおいて、柔軟に広告コンテンツの配置位置を決めることができるといった編集を行わせることができる。
【０１６９】
また、実施形態にかかるサービス提供装置１００において編集情報受付部１３３は、編集権利を購入した配信元とは異なる広告主として、編集権利を購入した配信元と関係する広告主により提供された広告コンテンツを表示させる領域の指定を受け付ける。
【０１７０】
これにより、実施形態にかかるサービス提供装置１００は、配信元に対し検索結果ページにおいて、柔軟にスポンサー広告の配置位置を決めることができるといった編集を行わせることができる。
【０１７１】
また、実施形態にかかるサービス提供装置１００において分配部１３９は、広告主により提供された広告コンテンを配信させることによって得られる収益を配信元に分配する。
【０１７２】
これにより、実施形態にかかるサービス提供装置１００は、配信元に対し検索結果ページに広告コンテンツを表示させるといった編集を積極的に行えるようにすることができる。また、サービス提供装置１００は、配信元がより積極的に広告表示の編集を行うようになることで、広告収益を高めることができる。
【０１７３】
また、実施形態にかかるサービス提供装置１００において編集情報受付部１３３は、検索結果ページに含まれる領域に関する情報として、検索結果ページに含まれる領域それぞれのサイズの指定を受け付ける。
【０１７４】
これにより、実施形態にかかるサービス提供装置１００は、配信元に対し検索結果ページに表示させるコンテンツのサイズを柔軟に編集させることができる。
【０１７５】
また、実施形態にかかるサービス提供装置１００においてサービス提供部１３１は、編集権利として、検索クエリに対応する検索結果ページを示すドメイン情報の編集権利を販売し、編集情報受付部１３３は、検索結果ページの編集に関する情報として、編集されたドメイン情報を受け付ける。
【０１７６】
これにより、実施形態にかかるサービス提供装置１００は、配信元に対し検索結果ページを示すドメイン情報を編集させることができる。
【０１７７】
また、実施形態にかかるサービス提供装置１００においてサービス提供部１３１は、検索クエリに関連する検索クエリである関連クエリであって、前記検索クエリとともに表示される関連クエリを編集可能な編集権利を販売する。
【０１７８】
これにより、実施形態にかかるサービス提供装置１００は、配信元に対し、検索クエリとともに関連クエリを編集させることができるため、検索クエリに関連する情報のインターネット上での動向に応じて、的確に編集後の検索結果ページを配信させることができる。
【０１７９】
一例を示すと、検索クエリ「Ｇグループ」、関連クエリ「ＣＤデビュー」といった指定がなされることで、サービス提供装置１００は、「Ｇグループ」の「ＣＤデビー」に関する話題がインターネット上で盛り上がった際に、これらのクエリが指定されている編集後の検索結果ページを的確に配信させることができる。
【０１８０】
また、実施形態にかかるサービス提供装置１００において配信部１３７は、編集権利が購入されることにより編集された編集後の検索結果ページを配信する。
【０１８１】
これにより、実施形態にかかるサービス提供装置１００は、通常の検索結果ページに代えて、編集後の検索結果ページを配信することができるため、検索結果ページにより長くユーザを滞在させることができる。
【０１８２】
また、実施形態にかかるサービス提供装置１００において配信部１３７は、編集後の検索結果ページに対応する検索クエリの使用頻度に基づいて、編集後の検索結果ページを配信する。
【０１８３】
これにより、実施形態にかかるサービス提供装置１００は、インターネット上等で、配信元が指定した検索クエリに関する情報が話題になった場合に、旬な情報として的確に編集後の検索結果ページを配信することができる。
【０１８４】
また、実施形態にかかるサービス提供装置１００において配信部１３７は、編集後の検索結果ページに対応する検索クエリの使用頻度を示す値が所定値以上となった場合に、編集後の検索結果ページを配信する。
【０１８５】
これにより、実施形態にかかるサービス提供装置１００は、インターネット上等で、配信元が指定した検索クエリに関する情報が話題になった場合に、旬な情報として的確に編集後の検索結果ページを配信することができる。
【０１８６】
また、実施形態にかかるサービス提供装置１００において配信部１３７は、複数の検索クエリが一度に入力された場合に、入力された検索クエリのうち、使用頻度がより高い検索クエリに対応する編集後の検索結果ページを配信する。
【０１８７】
検索クエリの使用頻度が高いということは、かかる検索クエリに関する情報がインターネット上で話題になっていることを示す。このため、サービス提供装置１００は、複数の検索クエリが一度に入力された場合には、入力された検索クエリのうち、使用頻度がより高い検索クエリに対応する編集後の検索結果ページを配信することで、旬な情報として的確に編集後の検索結果ページを配信することができる。
【０１８８】
また、実施形態にかかるサービス提供装置１００において審査部１３２は、配信元が検索クエリに関連する事業者であるか否かを審査し、サービス提供部１３１は、審査部１３２による審査結果に基づいて、編集権利を販売する。
【０１８９】
これにより、実施形態にかかるサービス提供装置１００は、検索クエリに関係のない第３者に検索クエリに対応する検索結果ページを編集可能な編集権利を販売してしまうことを防止することができる。
【０１９０】
また、実施形態にかかるサービス提供装置１００において提示部１３８は、検索クエリに関連する情報の動向を示す動向情報を配信元に提示する。
【０１９１】
これにより、実施形態にかかるサービス提供装置１００は、配信元により指定された検索クエリに関する情報が世間で話題になったタイミングで、かかる配信元に対応する編集後の検索結果ページを配信することができるため、編集後の検索結果ページをユーザに効果的に閲覧させることができる。
【符号の説明】
【０１９２】
１  サービス提供システム
１０  端末装置
２０  広告主端末
３０  ユーザ端末
４０  コンテンツサーバ
１００  サービス提供装置
１２１  事業者情報記憶部
１２２  スポンサー広告記憶部
１２３  一般広告記憶部
１３１  サービス提供部
１３２  審査部
１３３  編集情報受付部
１３４  第１広告受付部
１３５  第２広告受付部
１３６  生成部
１３７  配信部
１３８  提示部
１３９  分配部
【図１】
0006429826.tif 000002
【図２】
0006429826.tif 000003
【図３】
0006429826.tif 000004
【図４】
0006429826.tif 000005
【図５】
0006429826.tif 000006
【図６】
0006429826.tif 000007
【図７】
0006429826.tif 000008
【図８】
0006429826.tif 000009
【図９】
0006429826.tif 000010
【図１０】
0006429826.tif 000011
【図１１】
0006429826.tif 000012